(57)【要約】【課題】警報部側で信号線の異常を判定することができる警報システムを提供する。【解決手段】検知部２が、異常を検知する。警報部３が、検知部２により異常が検知されるとその旨の警報を発生する。この検知部２及び警報部３間には、電源線Ｌ＋、グランド線Ｌ−及び信号線Ｌｓが接続されている。検知部２が、信号線Ｌｓに接続されるパルス出力端子から当該検知部２の状態に応じた周期のパルスを出力し、警報部３が、信号線Ｌｓに接続されるパルス入力端子から入力されるパルスの周期に基づいて検知部２の状態を判定すると共に、パルス入力端子からパルスが入力されない状態が第１所定時間以上継続しているとき信号線Ｌｓの異常と判定する。【選択図】図１
2015219759.tif 000002
【特許請求の範囲】
【請求項１】
異常を検知する検知部と、前記検知部により異常が検知されるとその旨の警報を発生する警報部と、前記検知部及び前記警報部間に接続された電源線、グランド線及び信号線と、を備えた警報システムにおいて、
前記検知部が、前記信号線に接続される出力端子から当該検知部の状態に応じた周期のパルスを出力し、
前記警報部が、前記信号線に接続される入力端子から入力される前記パルスの周期に基づいて前記検知部の状態を判定すると共に、前記入力端子から前記パルスが入力されない状態が第１所定時間以上継続しているとき前記信号線の異常と判定する
ことを特徴とする警報システム。
【請求項２】
前記検知部は、異常を検知した警報状態、故障を検知した故障状態及び異常も故障も検知していない監視状態のそれぞれに応じた周期のパルスを前記出力端子から出力する
ことを特徴とする請求項１に記載の警報システム。
【請求項３】
前記検知部が、前記監視状態のとき最長周期のパルスを出力し、前記警報状態のとき最短周期のパルスを出力し、
前記警報部が、前記監視状態以外であると判定されている状態で、当該判定された状態に応じた周期の２倍よりも長い時間継続してパルスが入力されないとき、前記監視状態に遷移したと判定する
ことを特徴とする請求項２に記載の警報システム。
【請求項４】
前記警報部が、各状態に応じた周期のパルスが複数回連続して入力されたとき、当該周期に応じた状態であると判定する
ことを特徴とする請求項１〜３何れか１項に記載の警報システム。
【請求項５】
前記警報部は、電源投入から前記入力端子に前記パルスが入力されない状態が前記第１所定時間よりも短い第２所定時間以上継続しているとき前記信号線の異常と判定する
ことを特徴とする請求項１〜４何れか１項に記載の警報システム。
【発明の詳細な説明】
【技術分野】
【０００１】
本発明は、警報システムに係り、特に、異常を検知する検知部と、前記検知部により異常が検知されるとその旨の警報を発生する警報部と、を備えた警報システムに関するものである。
【背景技術】
【０００２】
上述した警報システムとして、分離型のガス漏れ警報器が知られている。上記分離型のガス漏れ警報器は、ガス漏れ（＝異常）を検知する検知部と、ガス漏れを警報する警報部と、を別々に設け、別々の場所に設置している。検知部と警報部とは３本の電線（電源線、グランド線、信号線）で接続されている。これにより、電源線、グランド線を介して警報部から検知部に電源を供給すると共に信号線を介して検知部から警報部に対してガス漏れを検知したことを伝えている。
【０００３】
従来、検知部は、ガス漏れを検知した警報状態では信号線に接続される端子から常時Ｈｉの電圧を出力し、ガス漏れを検知しない監視状態では信号線に接続される端子から常時Ｌｏの電圧を出力している。
【０００４】
しかしながら、従来のガス漏れ警報器においては、信号線と電源線との誤接続や短絡が発生した場合や信号線が断線した場合、信号線を介して常時Ｈｉの電圧が入力されてしまうため、警報部側では警報状態なのか、誤接続又は短絡や断線などの信号線の異常なのか区別することができない、という問題があった。
【０００５】
また、信号線とグランド線との誤接続や短絡が発生した場合も、信号線を介して常時Ｌｏの電圧が出力されてしまうため、警報部側では監視状態なのか、誤接続又は短絡なのか区別することができない、という問題があった。
【発明の概要】
【発明が解決しようとする課題】
【０００６】
そこで、本発明は、警報部側で信号線の異常を判定することができる警報システムを提供することを課題とする。
【課題を解決するための手段】
【０００７】
上記課題を解決するための請求項１記載の発明は、異常を検知する検知部と、前記検知部により異常が検知されるとその旨の警報を発生する警報部と、前記検知部及び前記警報部間に接続された電源線、グランド線及び信号線と、を備えた警報システムにおいて、
前記検知部が、前記信号線に接続される出力端子から当該検知部の状態に応じた周期のパルスを出力し、前記警報部が、前記信号線に接続される入力端子から入力される前記パルスの周期に基づいて前記検知部の状態を判定すると共に、前記入力端子から前記パルスが入力されない状態が第１所定時間以上継続しているとき前記信号線の異常と判定することを特徴とする警報システム
に存する。
【０００８】
請求項２記載の発明は、前記検知部は、異常を検知した警報状態、故障を検知した故障状態及び異常も故障も検知していない監視状態のそれぞれに応じた周期のパルスを前記出力端子から出力することを特徴とする請求項１に記載の警報システムに存する。
【０００９】
請求項３記載の発明は、前記検知部が、前記検知部が、前記監視状態のとき最長周期のパルスを出力し、前記警報状態のとき最短周期のパルスを出力し、前記警報部が、前記監視状態以外であると判定されている状態で、当該判定された状態に応じた周期の２倍よりも長い時間継続してパルスが入力されないとき、前記監視状態に遷移したと判定することを特徴とする請求項２に記載の警報システムに存する。
【００１０】
請求項４記載の発明は、前記警報部が、各状態に応じた周期のパルスが複数回連続して入力されたとき、当該周期に応じた状態であると判定することを特徴とする請求項１又は２に記載の警報システムに存する。
【００１１】
請求項５記載の発明は、前記警報部は、電源投入から前記入力端子に前記パルスが入力されない状態が前記第１所定時間よりも短い第２所定時間以上継続しているとき前記信号線の異常と判定することを特徴とする請求項１〜４何れか１項に記載の警報システムに存する。
【発明の効果】
【００１２】
以上説明したように請求項１記載の発明によれば、警報部側で、検知部の状態を判定することができると共に、信号線の異常を判定することができる。
【００１３】
請求項２記載の発明によれば、警報部側で、検知部の警報状態、故障状態及び監視状態を判定することができる。
【００１４】
請求項３記載の発明によれば、最長周期の監視状態を示すパルスを受け取ることなく、監視状態であると判定できる。しかも、現在判定されている状態の周期の２倍より長い時間、パルスが入力されないとき、監視状態であると判定するので、検知部からのパルスが１つ欠落しても、次のパルスが受信できれば監視状態である誤判定されることがなくなる。
【００１５】
請求項４記載の発明によれば、正確に検知部の状態を判定することができる。
【００１６】
請求項５記載の発明によれば、電源投入時はすぐに信号線の異常を判定することができる。
【図面の簡単な説明】
【００１７】
【図１】本発明の警報システムの一実施形態を示すブロック図である。
【図２】図１に示す検知部の構成を示すブロック図である。
【図３】図１に示す警報部の構成を示すブロック図である。
【図４】（Ａ）〜（Ｅ）はそれぞれ、警報状態、故障状態、監視状態、短絡状態、断線状態のときに警報部のパルス入力端子に入力される信号を示すタイムチャートである。
【図５】（Ａ）〜（Ｄ）はそれぞれ、検知部が故障状態、監視状態、短絡状態、断線状態のそれぞれから警報状態に遷移するときに警報部のパルス入力端子に入力される信号を示すタイムチャートである。
【図６】（Ａ）〜（Ｄ）はそれぞれ、検知部が警報状態、監視状態、短絡状態、断線状態のそれぞれから故障状態に遷移するときに警報部のパルス入力端子に入力される信号を示すタイムチャートである。
【図７】（Ａ）〜（Ｄ）はそれぞれ、検知部が警報状態、故障状態、短絡状態、断線状態のそれぞれから監視状態に遷移するときに警報部のパルス入力端子に入力される信号を示すタイムチャートである。
【図８】（Ａ）〜（Ｄ）はそれぞれ、検知部が警報状態、故障状態、監視状態、断線状態のそれぞれから短絡状態に遷移するときに警報部のパルス入力端子に入力される信号を示すタイムチャートである。
【図９】（Ａ）〜（Ｄ）はそれぞれ、検知部が警報状態、故障状態、監視状態、短絡状態のそれぞれから断線状態に遷移するときに警報部のパルス入力端子に入力される信号を示すタイムチャートである。
【図１０】図３に示す警報部のマイコンの処理手順を示すフローチャートである。
【図１１】図１０に示す短絡処理における警報部のマイコンの処理手順を示すフローチャートである。
【図１２】図１０に示す断線処理における警報部のマイコンの処理手順を示すフローチャートである。
【図１３】図１０に示す警報処理における警報部のマイコンの処理手順を示すフローチャートである。
【図１４】図１０に示す故障処理における警報部のマイコンの処理手順を示すフローチャートである。
【図１５】図１０に示す監視処理における警報部のマイコンの処理手順を示すフローチャートである。
【発明を実施するための形態】
【００１８】
以下、本発明の警報システムについて図１〜図３を参照して説明する。図１に示すように、警報システム１は、ガス漏れ（＝異常）を検知する検知部２と、検知部２によりガス漏れが検知されるとその旨の警報を発生する警報部３と、検知部２及び警報部３間に接続された電源線Ｌ＋、グランド線Ｌ−及び信号線Ｌｓと、を備えている。検知部２及び警報部３はそれぞれ別々の場所に設置されている。
【００１９】
まず、検知部２の構成について図２を参照して説明する。図２に示すように、検知部２は、電源線Ｌ＋の一端が接続される電源入力端子２１と、グランド線Ｌ−の一端が接続されるグランド入力端子２２と、ガス濃度を検知するガス検知部２３と、ガス検知部２３からの検知結果が供給されるマイクロコンピュータ（以下マイコン）２４と、電源入力端子２１及びグランド入力端子２２から入力される電源を所望の電圧に変換して、ガス検知部２３やマイコン２４に対して供給する電源部２５と、を備えている。
【００２０】
ガス検知部２３は周知のガスセンサから構成されている。マイコン２４は、周知のＣＰＵ、ＲＯＭ、ＲＡＭから構成されている。マイコン２４は、ガス検知部２３からの検知結果からガス漏れを検知するガス検知機能と、自己の故障を検知する故障検知機能と、を有している。また、マイコン２４は、検知部２の状態（本実施形態ではガス漏れを検知した警報状態、故障を検知した故障状態、ガス漏れも故障も検知していない監視状態の３つ）に応じた周期のパルスをパルス出力端子２６（＝出力端子）に出力させる。このパルス出力端子２６には、上記信号線Ｌｓの一端が接続されている。
【００２１】
次に、警報部３の構成について図３を参照して説明する。図３に示すように、警報部３は、電源線Ｌ＋の他端が接続される電源出力端子３１と、グランド線Ｌ−の他端が接続されるグランド出力端子３２と、信号線Ｌｓの他端が接続されるパルス入力端子３３（＝入力端子）と、マイコン３４と、商用電源や電池からの電源を一定の電源に変換してマイコン３４などに対して供給する電源部３５と、を備えている。
【００２２】
パルス入力端子３３から入力されるパルスは、マイコン３４に対して供給されている。マイコン３４は、パルス入力端子３３から供給されるパルスの周期に基づいて検知部２の状態を判定すると共にパルスが第１所定時間以上（＝本実施形態では７５ｓ）継続して入力されないとき信号線Ｌｓの異常と判定する。この判定の詳細については後述する。電源部３５は、電源のプラス側が電源出力端子３１に接続され、マイナス側がグランド出力端子３２に接続されている。
【００２３】
また、警報部３は、ガス漏れを表示で警報する赤色ＬＥＤ３６Ａと、通電を表示する緑色ＬＥＤ３６Ｂと、ガス漏れを音声で警報するスピーカ３７と、ＬＥＤ３６Ａ及び３６Ｂを駆動するための表示出力部３８と、スピーカ３７を駆動するための音声出力部３９と、を備えている。上記表示出力部３８及び音声出力部３９は、マイコン３４に接続され、マイコン３４によって制御される。
【００２４】
次に、上述した検知部２の動作について図４を参照して説明する。なお、図４において、黒い部分がＯＮ状態（＝Ｈｉレベル）の信号であり、白い部分がＯＦＦ状態（＝Ｌｏレベル）の信号である。まず、検知部２のマイコン２４は、ガス検知部２３からの検知結果に基づいてガス漏れを検知すると、図４（Ａ）に示すように、警報状態を示す周期０．６ｓの警報パルスを出力する。
【００２５】
また、検知部２のマイコン２４は、故障検知機能により故障を検知すると、図４（Ｂ）に示すように、故障状態を示す周期３．０ｓの故障パルスを出力する。また、検知部２のマイコン２４は、ガス漏れも故障も検知しないと、図４（Ｃ）に示すように、監視状態を示す周期１５ｓの監視パルスを出力する。これら警報パルス、故障パルス、監視パルスは、例えば０．３ｓ間、ＯＮ状態となるパルスである。信号線Ｌｓの異常がなければ、警報部３のパルス入力端子３３にはこれらパルスが入力される。即ち、本実施形態においては、警報状態に対して最短周期のパルスが、故障状態に対しては真ん中の周期のパルスが、監視状態に対して最長周期のパルスが割り当てられている。
【００２６】
また、信号線Ｌｓ及びグランド線Ｌ−が誤接続や短絡してしまうと、図４（Ｄ）に示すように、警報部３のパルス入力端子３３には、常時ＯＦＦ状態の信号が入力される。また、信号線Ｌｓ及び電源線Ｌ＋が誤接続や短絡されたり、信号線Ｌｓが断線してしまうと、図４（Ｅ）に示すように、警報部３のパルス入力端子３３には、常時ＯＮ状態の信号が供給される。
【００２７】
次に、上述した警報部３の動作について説明する。まず、警報部３のマイコン３４は、電源が投入されると、緑色ＬＥＤ３６Ａを常時点灯させて通電を表示すると共に、例えば０．０１ｓ毎にパルス入力端子３３の入力を取り込み、パルスを検知するサンプリング処理を開始する。
【００２８】
また、マイコン３４は、検知したパルスの周期からそのパルスが警報パルスか、故障パルスか、監視パルスかを判定する。具体的には、マイコン３４は、パルスが検知される毎に、前回検知されたパルスとのパルス間隔を求めている。このパルス間隔が２．４ｓより短いパルスを警報パルスと判定し、２．４ｓ以上１２ｓより短いパルスを故障パルスと判定し、１２ｓ以上７５ｓより短いパルスを監視パルスと判定する。
【００２９】
次に、上述した警報部３は、上記パルスの検知に基づいて検知部２の状態判定を行うが、この状態判定について下記に示す表や、図５に示すタイムチャートを参照して簡単に説明する。
【００３０】
【表１】
2015219759.tif 000003
【００３１】
上述した表１に示すように、基本的に警報部３は、警報パルスが２回連続して検知されると警報状態と判定し、故障パルスが２回連続して検知されると故障状態と判定し、監視パルスが２回連続して検知されると監視状態と判定する。これにより、図５（Ａ）〜（Ｄ）に示すように、例えば検知部２が故障状態、監視状態、短絡状態、断線状態のそれぞれから警報状態に遷移すると、遷移した時点ｔ１から２回連続して警報パルスが検知される１．５ｓ（＝０．６×２＋０．３ｓ）後に警報部３では検知部２が警報状態に遷移したことを判定する。
【００３２】
また、図６（Ａ）〜（Ｄ）に示すように、例えば検知部２が警報状態、監視状態、短絡状態、断線状態のそれぞれから故障状態に遷移すると、遷移した時点ｔ２から２回連続して故障パルスが検知される６．３ｓ（＝３ｓ×２＋０．３ｓ）後に警報部３では検知部２が故障状態に遷移したことを判定する。
【００３３】
また、図７（Ｃ）及び（Ｄ）に示すように、例えば検知部２が短絡状態、断線状態のそれぞれから監視状態に遷移すると、遷移した時点ｔ３から２回連続して故障パルスが検知される３０．３ｓ（＝３ｓ×２＋０．３ｓ）後に警報部３では検知部２が監視状態に遷移したことを判定する。
【００３４】
しかしながら、検知部２が警報状態から監視状態に遷移する場合、上記方法で判定すると、遷移した時点ｔ３（図７（Ａ））から３０．３ｓも経ってから警報部３で監視状態と判定される。そこで、本実施形態では、警報部３は、図７（Ａ）に示すように、警報状態のときは１．５ｓ間、ＯＦＦ状態の信号入力が継続すると警報状態から監視状態に遷移したことを判定する。この１．５ｓは、警報パルスの周期である０．６ｓの２倍よりも大きい値に設定されている。これにより、ノイズなどの影響により警報部３に入力される警報パルスが１つ欠落したとしても、警報部３で監視状態に遷移したと誤判定されることがない。
【００３５】
また、同様に、検知部２が故障状態から監視状態に遷移する場合も、上記方法で判定すると、遷移した時点ｔ３（図７（Ｂ））から３０．３ｓも経ってから警報部３で監視状態と判定される。そこで、本実施形態では、警報部３は、図７（Ｂ）に示すように、故障状態のときは６．３ｓ間、ＯＦＦ状態の信号入力が継続すると故障状態から監視状態に遷移したことを判定する。この６．３ｓは、故障パルスの周期である３．０ｓの２倍よりも大きい値に設定されている。これにより、ノイズなどの影響により警報部３に入力される故障パルスが１つ欠落したとしても、警報部３で監視状態に遷移したと誤判定されることがない。
【００３６】
また、警報部３は、図８（Ａ）〜（Ｄ）に示すように、７５ｓ（＝第１所定時間）間、ＯＦＦ状態の信号入力が継続すると、信号線Ｌｓ及びグランド線Ｌ−の誤接続又は短絡（以下、短絡）と判定する。また、警報部３は、図９（Ａ）〜（Ｄ）に示すように、７５ｓ間、ＯＮ状態の信号入力が継続すると、信号線Ｌｓ及びグランド線Ｌ＋の誤接続又は短絡や信号線Ｌｓの断線（以下、断線）と判定する。
【００３７】
次に、上記概略で説明した警報部３の動作について、図１０〜図１５のフローチャートを参照して説明する。警報部３に電源を投入すると、同時に電源線Ｌ＋、グランド線Ｌ−を介して検知部２にも電源が投入される。電源投入時、検知部２は、まず例えば３秒後に１パルスを出力し、その後各状態に応じた周期のパルスを出力する。また、電源投入に応じて警報部３のマイコン３４は、図１０に示す処理を開始し、サンプリング処理を行った結果、電源投入から７５ｓより短い１９ｓ（＝第２所定時間）間、ＯＮ状態のパルスを検出しなかった場合（ステップＳ１でＹ）、短絡と判定して、後述する短絡処理に進む（ステップＳ６）。一方、電源投入から１９ｓ間、ＯＦＦ状態のパルスを検出しなかった場合（ステップＳ２でＹ）、断線と判定して、後述する断線処理に進む（ステップＳ７）。
【００３８】
信号線Ｌｓの誤接続が行われるのは、警報システム１の設置時である。電源投入時の短絡、断線の判定時間として上述したように７５ｓを設置すると、警報システム１を設置して電源投入してから７５ｓも待たないと信号線Ｌｓが正しく接続されているか確認できない。そこで、本実施形態では、電源投入時は１９ｓと短く設定している。また、１９ｓに設定されているため、たとえ電源投入から３秒後に出力されるパルスを受信できなくても、１５秒後に出力される監視パルスを受信できれば短絡と判定されることがない。
【００３９】
また、警報部３のマイコン３４は、サンプリング処理を行った結果、周期が２．４ｓより短いパルス（即ち警報パルス）が２回連続して検知されると（ステップＳ３でＹ）、検知部２が警報状態であると判定し警報処理に進む（ステップＳ８）。また、警報部３のマイコン３４は、サンプリング処理を行った結果、周期が２．４ｓ以上１２ｓより短いパルス（即ち故障パルス）が２回連続して検知されると（ステップＳ４でＹ）、検知部２が故障状態であると判定し故障処理に進む（ステップＳ９）。また、警報部３のマイコン３４は、サンプリング処理を行った結果、周期が１２ｓ以下７５ｓより短いパルス（即ち監視パルス）が２回連続して検知されると（ステップＳ５でＹ）、検知部２が監視状態であると判定して監視処理に進む（ステップＳ１０）。
【００４０】
次に、上記短絡処理の詳細について図１１を参照して説明する。上記短絡処理において警報部３のマイコン３４は、緑色ＬＥＤ３６Ａを点滅（２秒間に２回）させると共に、スピーカ３７から「信号線の異常です。販売店に連絡してください」との音声を出力させることにより、信号線異常を報知する（ステップＳ６１）。
【００４１】
また、警報部３のマイコン３４は、サンプリング処理を行った結果、７５ｓ間、ＯＮ状態の信号入力が継続すると（ステップＳ６２でＹ）、断線であると判定して、後述する断線処理に進む（ステップＳ７）。
【００４２】
また、警報部３のマイコン３４は、サンプリング処理を行った結果、周期が２．４ｓより短いパルス（即ち警報パルス）が２回連続して検知されると（ステップＳ６３でＹ）、検知部２が警報状態であると判定し警報処理に進む（ステップＳ８）。また、警報部３のマイコン３４は、サンプリング処理を行った結果、周期が２．４ｓ以上１２ｓより短いパルス（即ち故障パルス）が２回連続して検知されると（ステップＳ６４でＹ）、検知部２が故障状態であると判定し故障処理に進む（ステップＳ９）。また、警報部３のマイコン３４は、サンプリング処理を行った結果、周期が１２ｓ以上７５ｓより短いパルス（即ち監視パルス）が２回連続して検知されると（ステップＳ６５でＹ）、検知部２が監視状態であると判定して監視処理に進む（ステップＳ１０）。
【００４３】
次に、上記断線処理の詳細について図１２を参照して説明する。上記断線処理において警報部３のマイコン３４は、緑色ＬＥＤ３６Ａを点滅（２秒間に２回）させると共に、スピーカ３７から「信号線の異常です。販売店に連絡してください」との音声を出力させることにより、信号線異常を報知する（ステップＳ７１）。
【００４４】
また、警報部３のマイコン３４は、サンプリング処理を行った結果、７５ｓ間、ＯＦＦ状態の信号入力が継続すると（ステップＳ７２でＹ）、短絡であると判定して、上記短絡処理に進む（ステップＳ６）。
【００４５】
また、警報部３のマイコン３４は、サンプリング処理を行った結果、周期が２．４ｓより短いパルス（即ち警報パルス）が２回連続して検知されると（ステップＳ７３でＹ）、検知部２が警報状態であると判定し警報処理に進む（ステップＳ８）。また、警報部３のマイコン３４は、サンプリング処理を行った結果、周期が２．４ｓ以上１２ｓより短いパルス（即ち故障パルス）が２回連続して検知されると（ステップＳ７４でＹ）、検知部２が故障状態であると判定し故障処理に進む（ステップＳ９）。また、警報部３のマイコン３４は、サンプリング処理を行った結果、周期が１２ｓ以上７５ｓより短いパルス（即ち監視パルス）が２回連続して検知されると（ステップＳ７５でＹ）、検知部２が監視状態であると判定して監視処理に進む（ステップＳ１０）。
【００４６】
次に、上記警報処理の詳細について図１３を参照して説明する。上記警報処理において警報部３のマイコン３４は、赤色ＬＥＤ３６Ｂを点灯させると共に、スピーカ３７から「ガス漏れが発生しました。」との音声を出力させることにより、ガス漏れ警報を発生する（ステップＳ８１）。
【００４７】
また、警報部３のマイコン３４は、サンプリング処理を行った結果、７５ｓ間、ＯＮ状態の信号入力が継続すると（ステップＳ８２でＹ）、断線であると判定して、上記断線処理に進む（ステップＳ７）。
【００４８】
また、警報部３のマイコン３４は、サンプリング処理を行った結果、１．５ｓ間、ＯＦＦ状態の信号入力が継続すると（ステップＳ８３でＹ）、検知部２が監視状態であると判定して監視処理に進む（ステップＳ１０）。
【００４９】
次に、上記故障処理の詳細について図１４を参照して説明する。上記故障処理において警報部３のマイコン３４は、緑色ＬＥＤ３６Ａを早点滅させると共に、スピーカ３７から「検知部故障です。販売店に連絡してください。」との音声を出力させることにより、故障を報知する（ステップＳ９１）。
【００５０】
また、警報部３のマイコン３４は、サンプリング処理を行った結果、７５ｓ間、ＯＮ状態の信号入力が継続すると（ステップＳ９２でＹ）、断線であると判定して、上記断線処理に進む（ステップＳ７）。
【００５１】
また、警報部３のマイコン３４は、サンプリング処理を行った結果、周期が２．４ｓより短いパルス（即ち警報パルス）が２回連続して検知されると（ステップＳ９３でＹ）、検知部２が警報状態であると判定し警報処理に進む（ステップＳ８）。また、警報部３のマイコン３４は、サンプリング処理を行った結果、６．３ｓ間、ＯＦＦ状態の信号入力が継続すると（ステップＳ９４でＹ）、検知部２が監視状態であると判定して監視処理に進む（ステップＳ１０）。
【００５２】
次に、上記監視処理の詳細について図１５を参照して説明する。上記監視処理において警報部３のマイコン３４は、警報や報知が出力されていればそれを停止して緑色ＬＥＤ３６Ａが常時点灯される状態にする（ステップＳ１０１）。
【００５３】
また、警報部３のマイコン３４は、サンプリング処理を行った結果、７５ｓ間、ＯＮ状態の信号入力が継続すると（ステップＳ１０２でＹ）、断線と判定して、上記断線処理に進む（ステップＳ７）。また、警報部３のマイコン３４は、サンプリング処理を行った結果、７５ｓ間、ＯＦＦ状態の信号入力が継続すると（ステップＳ１０３でＹ）、短絡と判定して、上記短絡処理に進む（ステップＳ６）。
【００５４】
また、警報部３のマイコン３４は、サンプリング処理を行った結果、周期が２．４ｓより短いパルス（即ち警報パルス）が２回連続して検知されると（ステップＳ１０４でＹ）、検知部２が警報状態であると判定し警報処理を行う（ステップＳ８）。また、警報部３のマイコン３４は、サンプリング処理を行った結果、周期が２．４ｓ以上１２ｓより短いパルス（即ち故障パルス）が２回連続して検知されると（ステップＳ１０５でＹ）、検知部２が故障状態であると判定して故障処理を行う（ステップＳ９）。
【００５５】
なお、上記警報処理において警報部３は、１．５ｓ間、ＯＦＦ状態の信号入力が継続すると監視状態であると判定しているため、短絡や故障と判定することがない。短絡や故障だった場合は、図６（Ａ）、図８（Ａ）に示すように、監視処理に進んだ後、短絡や故障と判定される。また、上記故障処理において警報部３は、６．３ｓ間、ＯＦＦ状態の信号入力が継続すると監視状態であると判定しているため、短絡と判定することがない。短絡だった場合、図８（Ｂ）監視処理に進んだ後、短絡と判定される。
【００５６】
上述した実施形態によれば、検知部２が、当該検知部２の状態に応じた周期のパルスをパルス出力端子２６から出力し、警報部３が、パルス入力端子３３から入力されるパルスの周期に基づいて検知部２の状態を判定すると共に、パルス入力端子３３からパルスが入力されない状態（ＯＮ状態、ＯＦＦ状態の信号入力が継続する状態）が７５ｓ間以上継続しているとき信号線Ｌｓの異常と判定する。これにより、警報部３側で、検知部２の状態を判定することができると共に、信号線Ｌｓの異常を判定することができる。
【００５７】
また、上述した実施形態によれば、検知部２が、警報状態、故障状態及び監視状態のそれぞれに応じた周期のパルスを信号線Ｌｓから出力するので、警報部３側で、検知部２の警報状態、故障状態及び監視状態を判定することができる。
【００５８】
また、上述した実施形態によれば、検知部２が、警報状態のときは最短周期（０．６ｓ）の警報パルスを出力し、故障状態のときは真ん中の周期（３．０ｓ）の故障パルスを出力し、監視状態のときは最長周期（１５ｓ）の監視パルスを出力している。そして、警報部３では、警報状態（＝監視状態以外）と判定されている場合、当該警報状態に応じた周期である０．６ｓの２倍よりも長い１．５ｓ継続してＯＦＦ状態、即ちパルスが入力されないとき、監視状態であると判定している。また、故障状態（＝監視状態以外）と判定されている場合、当該故障状態に応じた周期である３．０ｓの２倍よりも長い６．３ｓ継続してパルスが入力されないとき、監視状態であると判定している。これにより、最長周期の監視パルスを受け取ることなく、監視状態であると判定できる。しかも、現在判定されている状態の周期の２倍より長い時間、パルスが入力されないとき、監視状態であると判定するので、検知部２からのパルスが１つ欠落しても、次のパルスが受信できれば監視状態である誤判定されることがなくなる。
【００５９】
また、上述した実施形態によれば、警報部３が、各状態（警報状態、故障状態及び監視状態）に応じた周期のパルスが２回連続して入力されたとき、当該周期に応じた状態であると判定する。これにより、正確に検知部２の状態を判定することができる。
【００６０】
また、上述した実施形態によれば、警報部３は、電源投入時は信号線Ｌｓからパルスが入力されない状態が７５ｓよりも短い２０ｓ以上継続しているとき信号線Ｌｓの異常と判定する。これにより、電源投入時はすぐに信号線Ｌｓの異常を判定することができる。
【００６１】
なお、上述した実施形態によれば、検知部２は警報状態、故障状態、監視状態に応じた３種類の周期のパルスを出力していたが、これに限ったものではない。例えば、警報状態及び監視状態に応じた２種類の周期のパルスを出力するようにしてもよいし、４つ以上の状態に応じた４種類以上の周期のパルスを出力するようにしてもよい。
【００６２】
また、上述した実施形態によれば、警報部３は、警報状態と判定している場合、１．５ｓ間、ＯＦＦ状態の信号入力によって監視状態と判定し、故障状態と判定している場合、６．３ｓ間、ＯＦＦ状態の信号入力によって監視状態と判定していたが、これに限ったものではない。警報状態や故障状態と判定している場合も、監視パルスを２回連続入力したとき監視状態と判別するようにしてもよい。
【００６３】
また、上述した実施形態によれば、警報部３は、警報パルス、故障パルス、監視パルスをそれぞれ２回連続して入力すると警報状態、故障状態、監視状態であると判定していたが、これに限ったものではない。１回入力したときに判定するようにしてもよいし、３回以上連続して入力したときに判定するようにしてもよい。
【００６４】
また、上述した実施形態によれば、警報部３は検知部２の故障しか検知していなかったがこれに限ったものではない。警報部３にもマイコン３４やスピーカ３７などの故障を検知する故障検知機能を持たせて、警報部３の故障も報知するようにしてもよい。この場合、警報部３の故障が検知されると、警報部３のマイコン３４は、例えば、緑色ＬＥＤ３６Ａを早点滅させて、スピーカ３７から「警報部故障です。販売店に連絡してください。」との音声を出力させて報知することが考えられる。
【００６５】
また、上述した実施形態では、検知部２が警報状態から故障状態に遷移することもあると説明していたが、これに限ったものではない。例えば、検知部２が、警報中に故障を検出した場合は故障パルスに切り替えず警報パルスを継続して出力するようにしてもよい。この場合、警報状態から故障状態に遷移することはなくなる。
【００６６】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６７】
１  警報システム
２  検知部
３  警報部
２６  パルス出力端子（＝出力端子）
３３  パルス入力端子（＝入力端子）
Ｌ＋  電源線
Ｌ−  グランド線
Ｌｓ  信号線
【図１】
2015219759.tif 000004
【図２】
2015219759.tif 000005
【図３】
2015219759.tif 000006
【図４】
2015219759.tif 000007
【図５】
2015219759.tif 000008
【図６】
2015219759.tif 000009
【図７】
2015219759.tif 000010
【図８】
2015219759.tif 000011
【図９】
2015219759.tif 000012
【図１０】
2015219759.tif 000013
【図１１】
2015219759.tif 000014
【図１２】
2015219759.tif 000015
【図１３】
2015219759.tif 000016
【図１４】
2015219759.tif 000017
【図１５】
2015219759.tif 000018